(57)【要約】【課題】ランプホルダーにコードを取り付けるケーブルガイドを簡略化しその材料費を安価にしケーブルガイドをランプホルダーに貼着固定する両面貼着テープの使用箇所を減らせて作業員数も減らせコストダウンを図れる。【解決手段】ランプホルダー２の長手方向両端部にケーブルガイド３、４を取り付け一方側のケーブルガイド３は上向き嵌め込み溝部３ａを有するコードガイド部３Ａと開口部３ｂを有する筐体状部３Ｂからなり筐体状部の裏面に両コード１、８を裏面向きのコードガイド溝３ｃを形成し開口部の下端部にコード抜け落ち防止用フック３ｄを内向きに突設し他方側のケーブルガイド４はコードを上向き嵌め込み溝部４ａを有するコード引出し用ガイド部４Ａとコード引出し用ガイド部４Ａよりなりケーブルガイド３寄り側に設け下向きのコードガイド溝３ｃを設けてコード１に上側から被さるコード抜け落ち防止用カバー部４Ｂとを設ける。【選択図】  図１
2004247073.tif 000002
【特許請求の範囲】
【請求項１】
液晶画面のバックライトにおけるランプが取り付けられるランプホルダーの表面側にコードを取り付け固定するようにしたランプコードの固定構造において、前記ランプホルダーの長手方向両端部にケーブルガイドが取り付けられ、一方側の前記ケーブルガイドは、前記コードを上側から嵌め込む上向き嵌め込み溝部を有するコードガイド部と、前記コードとランプ側からのコードを前面側に向けて引き出す開口部を有する筐体状部とからなり、この筐体状部の上側裏面には、前記両コードを前記開口部まで引き出すための裏面向きに開放されたコードガイド溝が形成され、前記開口部の下端部には引き出される両コードが落ちることを防止するためのコード抜け落ち防止用フックが内向きに突設されていて、他方側のケーブルガイドは、前記コードを上側から嵌め込む上向き嵌め込み溝部を有するコード引出し用ガイド部と、このコード引出し用ガイド部より前記一方側のケーブルガイド寄り側に設けられ、下向きに開放されたコードガイド溝が設けられて前記コードに上側から被さるように形成されたコード抜け落ち防止用カバー部とが設けられており、前記両ケーブルガイドで前記コードを固定し、両ケーブルガイド間は前記コードが張設状態で露出されるように構成したことを特徴とするランプコードの固定構造。
【請求項２】
ランプが取り付けられるランプホルダーの表面側にコードを取り付け固定するようにしたランプコードの固定構造において、前記ランプホルダーの長手方向両端部にケーブルガイドが取り付けられ、一方側の前記ケーブルガイドは、コードとランプ側からのコードを前面側に向けて引き出す開口部を有する筐体状部を有し、この筐体状部の上側裏面には、前記両コードを前記開口部まで引き出すための裏面向きに開放されたコードガイド溝が形成され、他方側のケーブルガイドは、下向きに開放されたコードガイド溝が設けられて前記コードに上側から被さるように形成されたコード抜け落ち防止用カバー部が設けられており、前記両ケーブルガイドで前記コードを固定し、両ケーブルガイド間は前記コードが張設状態で露出されるように構成したことを特徴とするランプコードの固定構造。
【請求項３】
前記一方側のケーブルガイドには、前記筐体状部から前記他方側のケーブルガイド側に向けて前記コードを上側から嵌め込んでガイドする上向き嵌め込み溝部を有するコードガイド部が延設され、このコードガイド部には前記上向き嵌め込み溝部内に向けてコード係止用突部が突設されていて、前記他方側のケーブルガイドには、前記抜け落ち防止用カバー部から外向きに、前記コードを上側から嵌め込んでガイドして引き出すための上向き溝部を有するコード引出し用ガイド部が延設され、このコード引出し用ガイド部には前記上向き溝部内に向けてコード係止用突部が突設されていることを特徴とする請求項２に記載のランプコードの固定構造。
【発明の詳細な説明】
【０００１】
【発明の属する技術分野】
本発明は、液晶ディスプレイにおけるバックライトとして使用されるランプが取り付けられるランプホルダーの表面側にコードを取り付け固定するようにしたランプコードの固定構造に関する。
【０００２】
【従来の技術】
従来のランプコードの固定構造は、例えば、図６に示すように、ランプ１０１が取り付けられるランプホルダー１０２の長手方向にこのランプホルダー１０２と殆ど同じ長さのケーブルガイド１０３が両面粘着テープ１０５で固定され、このケーブルガイド１０３の溝部にコード１０４を挿入するようにしていた。（図７参照）。
ところが、これにおいては、ケーブルガイド１０３が長いものとなり、また両面粘着テープ１０５も長いものとなるために、コストが高くなり、また、ランプホルダー１０２の上面に長い両面粘着テープ１０５を貼着する作業が困難で、その使用員数も多くなるという問題があり、ケーブルガイド１０３の溝部にコード１０４を挿入する作業も困難であった。
【０００３】
また、図８に示すように、複数に分割されたケーブルガイド１０３Ａ、１０３Ｂ、１０３Ｃを用いたものもあるが、これにおいては、それぞれのケーブルガイド１０３Ａ、１０３Ｂ、１０３Ｃがそれぞれ長いものとなり、図示されていないが、両面粘着テープ１０５もランプホルダー１０２とほぼ同じ長さのものを必要としていた。
【０００４】
第１の従来技術を図９、図１０（ａ）（ｂ）（ｃ）に示す。各電子部品ｒ等を配設されるプリント基板の使用された照明具において、その筐体Ｂの一側に筐体Ｂと一体に棒状を呈する係止突起ｔ１、ｔ２、ｔ３が形成され、係止突起ｔ１、ｔ２、ｔ３は、電線Ｃの端部の移動を阻止するよう作用するようにしている。（例えば、特許文献１参照）。
ところが、これは、電線Ｃの端部の移動を素子するために、筐体Ｂに係止突起ｔ１、ｔ２、ｔ３が形成されているものであって、電線Ｃの一箇所だけを止めるものであった。
【０００５】
第２の従来技術を図１１に示す。プラスチック製基体２０１上にコード張設方向に沿って所要の間隔を置いて立設された２個の拘止片２０５と、拘止片２０５の間においてコード張設位置に関して拘止片２０５と反対側に立設され上辺鍔部２０７が拘止片２０５の方向を向いた逆Ｌ形断面を有する保持片２０２とから成り、拘止片２０５と保持片２０２との間の間隔２０９がコード２０４が通過し得る如く設定されるとともに、拘止片２０５の基体表面からの高さが保持片２０２鍔部２０７下面の基体表面からの高さよりも幾分高く設定されているようにしている。（例えば、特許文献２参照）。
ところが、これは車輛用灯具のコードクランプに関するものであり、２本のコード２０４を同時に通過させるようにしたものであった。
【０００６】
第３の従来技術を図１２（ａ）（ｂ）（ｃ）に示す。蛍光管３０２の両端に、蛍光管３０２に電力を供給するための一対のケーブル３０３ａ、３０３ｂを接続し、蛍光管３０２の端部３０２ａとケーブル３０３ａとの接続箇所には、樹脂でモールドされた樹脂成形部３０４を形成し、蛍光管３０２の端部３０２ｂとケーブル３０３ｂとの接続箇所には、ゴム同射出成形機の構成を示す図製の保持部材３０５を取り付け、さらに、蛍光管３０２から発せられた光を反射させるリフレクタ３０６を一体的に取り付けるものである。（例えば、特許文献３参照）。
ところが、これは、蛍光管３０２の両端のコーナー部を固定するようにしたものであった。
【０００７】
【特許文献１】
実開昭５９−４７９１１号公報
【特許文献２】
実開昭５９−９５５０８号公報
【特許文献３】
特開２００２−１４０９７７号公報
【０００８】
【発明が解決しようとする課題】
本発明は、ランプホルダーの上面にコードを張設して取り付けるためのケーブルガイドを簡略化することができ、このケーブルガイドの成形の材料費を安価にでき、１回の成形で作れる個数を増やすことができ、更に、組み立て時にこのケーブルガイドをランプホルダーに貼着固定する両面貼着テープの使用箇所を減らすことができてその作業員数も減らすことができ、コストダウンを図れ、作業効率を向上することができるランプコードの固定構造を提供することを目的とする。
【０００９】
【課題を解決するための手段】
本発明は、上記課題を解決するために提案されたものであって、請求項１に記載の発明は、液晶画面のバックライトにおけるランプが取り付けられるランプホルダーの表面側にコードを取り付け固定するようにしたランプコードの固定構造において、前記ランプホルダーの長手方向両端部にケーブルガイドが取り付けられ、一方側の前記ケーブルガイドは、前記コードを上側から嵌め込む上向き嵌め込み溝部を有するコードガイド部と、前記コードとランプ側からのコードを前面側に向けて引き出す開口部を有する筐体状部とからなり、この筐体状部の上側裏面には、前記両コードを前記開口部まで引き出すための裏面向きに開放されたコードガイド溝が形成され、前記開口部の下端部には引き出される両コードが落ちることを防止するためのコード抜け落ち防止用フックが内向きに突設されていて、他方側のケーブルガイドは、前記コードを上側から嵌め込む上向き嵌め込み溝部を有するコード引出し用ガイド部と、このコード引出し用ガイド部より前記一方側のケーブルガイド寄り側に設けられ、下向きに開放されたコードガイド溝が設けられて前記コードに上側から被さるように形成されたコード抜け落ち防止用カバー部とが設けられており、前記両ケーブルガイドで前記コードを固定し、両ケーブルガイド間は前記コードが張設状態で露出されるように構成したことを特徴としている。
【００１０】
請求項２に記載の発明は、ランプが取り付けられるランプホルダーの表面側にコードを取り付け固定するようにしたランプコードの固定構造において、前記ランプホルダーの長手方向両端部にケーブルガイドが取り付けられ、一方側の前記ケーブルガイドは、コードとランプ側からのコードを前面側に向けて引き出す開口部を有する筐体状部を有し、この筐体状部の上側裏面には、前記両コードを前記開口部まで引き出すための裏面向きに開放されたコードガイド溝が形成され、他方側のケーブルガイドは、下向きに開放されたコードガイド溝が設けられて前記コードに上側から被さるように形成されたコード抜け落ち防止用カバー部が設けられており、前記両ケーブルガイドで前記コードを固定し、両ケーブルガイド間は前記コードが張設状態で露出されるように構成したことを特徴としている。
【００１１】
請求項３に記載の発明は、前記一方側のケーブルガイドには、前記筐体状部から前記他方側のケーブルガイド側に向けて前記コードを上側から嵌め込んでガイドする上向き嵌め込み溝部を有するコードガイド部が延設され、このコードガイド部には前記上向き嵌め込み溝部内に向けてコード係止用突部が突設されていて、前記他方側のケーブルガイドには、前記抜け落ち防止用カバー部から外向きに、前記コードを上側から嵌め込んでガイドして引き出すための上向き溝部を有するコード引出し用ガイド部が延設され、このコード引出し用ガイド部には前記上向き溝部内に向けてコード係止用突部が突設されていることを特徴としている。
【００１２】
【発明の実施の形態】
以下、本発明に係るランプコードの固定構造の実施の形態について、図を参照しつつ説明する。
図１は本発明のランプコードの固定構造の実施形態を示す斜視図、図２は同構造の分解斜視図、図３は同構造の要部を示し、（ａ）はその一方側のケーブルガイドの拡大斜視図、（ｂ）はその他方側のケーブルガイドの拡大斜視図、図４は同構造における一方側のケーブルガイドの下側にランプの取付状態を示す側面図、図５は同構造を用いたバックライトの分解斜視図である。
【００１３】
本実施形態のランプコードの固定構造は、図１、図２に示すように、コード１が上面に張設されるランプホルダー２の長手方向両端部にケーブルガイド３、４が両面粘着テープ５、６取り付けられ、一方側のケーブルガイド３は、図３（ａ）にも示すように、コード１を上側から嵌め込む上向き嵌め込み溝部３ａを有するコードガイド部３Ａと、コード１とランプ７（図４参照）側からのコード８を前面側に向けて引き出す下方側が開放された正面視図角形の開口部３ｂを有する筐体状部３Ｂとからなり、この筐体状部３Ｂの上側裏面には、両コード１、８を開口部３ｂまで引き出すための裏面向きに開放された側面視略台形状のコードガイド溝３ｃが形成され、開口部３ｂの下端部には引き出される両コード１、８が落ちることを防止するためのコード抜け落ち防止用フック３ｄ、３ｄが内向きに突設されている。
【００１４】
また、他方側のケーブルガイド４は、図３（ｂ）にも示すように、コード１を上側から嵌め込む上向き嵌め込み溝部４ａを有するコード引出し用ガイド部４Ａと、この引出し用ガイド部４Ａより一方側のケーブルガイド寄り側に設けられ、下向きに開放された側面視略コ字形のコードガイド溝４ｂが設けられてランプホルダー２の上面のコード１に上から被さるように形成されたコード抜け落ち防止用カバー部４Ｂとが設けられている。
更に、一方側のケーブルガイド３のコードガイド部３Ａに上向き嵌め込み溝部３ａ内に向けてコード係止用突部３ｅが突設され、他方側のケーブルガイド４のコード引出し用ガイド部４Ａに上向き嵌め込み溝部４ａ内に向けてコード係止用突部４ｃが突設されている。
尚、図２において、符号９は一方側のケーブルガイド３をランプホルダー２に強固に取付固定するための粘着テープである。
【００１５】
そして、図２に示す分解された状態から、図１に示すように、ランプホルダー２の下面側の横向きコ字形の間隙２ａにランプ７を嵌め込み、このランプ７からのコード８を一方側のケーブルガイド３の筐体状部３Ｂのコードガイド溝３ｃに嵌め入れて開口部３ｂから引出し、ランプホルダー２の上面に張設されるコード１の一方側を一方側のケーブルガイド３のコードガイド部３Ａの上向き嵌め込み溝３ａに上側から下向きに嵌め入れてコード係止用突起３ｅに係止して抜け止めし、筐体状部３Ｂの開口部３ｂからコード１の一方側端部を引き出す。
【００１６】
また、コード１の他方側に、他方側のケーブルガイド４を被せて、このケーブルガイド４のコード抜け落ち防止用カバー部４Ｂのコードガイド溝４ｂに嵌め入れてコード１が上方に抜け落ちないように固定し、更に、コード１の他方側端部をこのケーブルガイド４のコード引出し用ガイド部４Ａの上向き嵌め込み溝部４ａに上側から下向きに嵌め込んでコード係止用突起４ｃに係止して抜け止めする。
一方側のケーブルガイド３の開口部３ｂから引き出された両コード１、８の先端にはコネクタ１０が取り付けられている。
尚、コード１の一方側と他方側の間の長い部分は、ランプホルダー２の上面に張設された状態で露出されている。
【００１７】
このようにして、図１に示す状態にランプホルダー２に取り付けられた状態で、図５に示すように、このランプホルダー２は、バックライト１１のフレーム１２に取り付けられ、このフレーム１２の上側に、下側から順に、反射シート１３、導光板１４、拡散シート１５、第１プリズムシート１６、第２プリズムシート１７が重ねられて、複数本に分割されたセル１８で上側から押さえて、バックライト１１の全体が組み付けられるようになっている。
【００１８】
したがって、この実施形態のランプコードの固定構造によれば、ランプホルダー２の上面にコード１を張設して取り付けるためのケーブルガイド３、４を簡略化することができ、これらケーブルガイド３、４の成形の材料費を安価にでき、１回の成形で作れる個数を増やすことができ、更に、組み立て時にこれらケーブルガイド３、４をランプホルダー２に貼着固定する両面貼着テープ５、６の使用箇所を減らすことができてその作業員数も減らすことができ、コストダウンを図れ、作業効率を向上することができる
【００１９】
【発明の効果】
以上説明したように、請求項１に記載の発明は、液晶画面のバックライトにおけるランプが取り付けられるランプホルダーの表面側にコードを取り付け固定するようにしたランプコードの固定構造において、ランプホルダーの長手方向両端部にケーブルガイドが取り付けられ、一方側のケーブルガイドは、コードを上側から嵌め込む上向き嵌め込み溝部を有するコードガイド部と、コードとランプ側からのコードを前面側に向けて引き出す開口部を有する筐体状部とからなり、この筐体状部の上側裏面には、両コードを開口部まで引き出すための裏面向きに開放されたコードガイド溝が形成され、開口部の下端部には引き出される両コードが落ちることを防止するためのコード抜け落ち防止用フックが内向きに突設されていて、他方側のケーブルガイドは、コードを上側から嵌め込む上向き嵌め込み溝部を有するコード引出し用ガイド部と、このコード引出し用ガイド部より一方側のケーブルガイド寄り側に設けられ、下向きに開放されたコードガイド溝が設けられてコードに上側から被さるように形成されたコード抜け落ち防止用カバー部とが設けられており、両ケーブルガイドでコードを固定し、両ケーブルガイド間はコードが張設状態で露出されるように構成したので、以下に述べる効果を奏する。
【００２０】
即ち、ランプホルダーの上面にコードを張設して取り付けるためのケーブルガイドを簡略化することができ、ケーブルガイドの成形の材料費を安価にでき、１回の成形で作れる個数を増やすことができ、更に、組み立て時にケーブルガイドをランプホルダーに貼着固定する両面貼着テープの使用箇所を減らすことができてその作業員数も減らすことができ、コストダウンを図れ、作業効率を向上することができる。
しかも、一方側のケーブルガイドと他方側のケーブルガイドだけで、ランプホルダーにコードを抜け落ちることなく強固に取り付けることができる。
【００２１】
請求項２に記載の発明は、ランプが取り付けられるランプホルダーの表面側にコードを取り付け固定するようにしたランプコードの固定構造において、ランプホルダーの長手方向両端部にケーブルガイドが取り付けられ、一方側のケーブルガイドは、コードとランプ側からのコードを前面側に向けて引き出す開口部を有する筐体状部を有し、この筐体状部の上側裏面には、両コードを開口部まで引き出すための裏面向きに開放されたコードガイド溝が形成され、他方側のケーブルガイドは、下向きに開放されたコードガイド溝が設けられてコードに上側から被さるように形成されたコード抜け落ち防止用カバー部が設けられており、両ケーブルガイドでコードを固定し、両ケーブルガイド間はコードが張設状態で露出されるように構成したので、以下に述べる効果を奏する。
【００２２】
即ち、ランプホルダーの上面にコードを張設して取り付けるためのケーブルガイドを簡略化することができ、ケーブルガイドの成形の材料費を安価にでき、１回の成形で作れる個数を増やすことができ、更に、組み立て時にケーブルガイドをランプホルダーに貼着固定する両面貼着テープの使用箇所を減らすことができてその作業員数も減らすことができ、コストダウンを図れ、作業効率を向上することができる。
【００２３】
請求項３に記載の発明は、一方側のケーブルガイドには、筐体状部から他方側のケーブルガイド側に向けてコードを上側から嵌め込んでガイドする上向き嵌め込み溝部を有するコードガイド部が延設され、このコードガイド部には上向き嵌め込み溝部内に向けてコード係止用突部が突設されていて、他方側のケーブルガイドには、抜け落ち防止用カバー部から外向きに、コードを上側から嵌め込んでガイドして引き出すための上向き溝部を有するコード引出し用ガイド部が延設され、このコード引出し用ガイド部には上向き溝部内に向けてコード係止用突部が突設されているので、これらのコード係止用突部でコードを係止めすることにより、コードを一方側のケーブルガイドと他方側のケーブルガイドとで、上向きに抜け落ちることなく固定でき、更にコードの他方側の端部も上側に抜けないように固定することができる。
【図面の簡単な説明】
【図１】本発明のランプコードの固定構造の実施形態を示す斜視図である。
【図２】同構造の分解斜視図である。
【図３】同構造の要部を示し、（ａ）はその一方側のケーブルガイドの拡大斜視図、（ｂ）はその他方側のケーブルガイドの拡大斜視図である。
【図４】同構造における一方側のケーブルガイドの下側にランプの取付状態を示す側面図である。
【図５】同構造を用いたバックライトの分解斜視図である。
【図６】従来のランプコードの固定構造の組み立て前の分解斜視図である。
【図７】同構造の組み立て完了時の斜視図である。
【図８】従来の他のランプコードの固定構造を示す斜視図である。
【図９】従来のコード固定具付照明具を示す断面図である。
【図１０】同照明具のランプ固定部分を示し、（ａ）はその第１例の部分斜視図、（ｂ）はその第２例の部分斜視図、（ｃ）はその第３例の部分斜視図、（ｄ）はその第４例の部分斜視図である。
【図１１】従来の車輛用灯具のコードクランプの斜視図である。
【図１２】従来のケーブル付蛍光灯を示し、（ａ）はその斜視図、（ｂ）は（ａ）におけるＡ部の拡大斜視図、（ｃ）は（ａ）におけるＢ部の拡大斜視図である。
【符号の説明】
１            コード
２            ランプホルダー
３            ケーブルガイド
３Ａ          コードガイド部
３Ｂ          筐体状部
３ａ          上向き嵌め込み溝部
３ｂ          開口部
３ｃ          コードガイド溝
３ｄ          コード抜け落ち防止用フック
３ｅ          係止用突起
４            ケーブルガイド
４Ａ          コード引出し用ガイド部
４Ｂ          コード抜け落ち防止用カバー部
４ａ          上向き嵌め込み溝部
４ｂ          コ字形コードガイド溝
４ｃ          係止用突部
５            両面粘着テープ
６            両面粘着テープ
７            ランプ
８            コード
１１          バックライト
【図１】
2004247073.tif 000003
【図２】
2004247073.tif 000004
【図３】
2004247073.tif 000005
【図４】
2004247073.tif 000006
【図５】
2004247073.tif 000007
【図６】
2004247073.tif 000008
【図７】
2004247073.tif 000009
【図８】
2004247073.tif 000010
【図９】
2004247073.tif 000011
【図１０】
2004247073.tif 000012
【図１１】
2004247073.tif 000013
【図１２】
2004247073.tif 000014